(57)【特許請求の範囲】
【請求項１】
冷凍・冷蔵庫に設けられた温度コントロールボリウムにより庫内温度を制御する方法であって、前記温度コントロールボリウムは強ノッチ、中ノッチ、弱ノッチを備え、前記強ノッチ又は中ノッチを選択した時は、外気温が第１の所定温度以上では庫内温度を第１の所定値に設定し、外気温が第１の所定温度と当該温度より低い第２の所定温度との範囲内では庫内温度を第１の所定値より高い第２の所定値にまで徐々に上げた値に設定し、外気温が第２の所定温度以下では庫内温度を第２の所定値に設定し、前記弱ノッチを選択した時は、庫内温度が所定温度となるように初期設定し、外気温が低下しても初期設定温度を一定に保持するように設定することを特徴とする冷凍・冷蔵庫の庫内温度制御方法。
【発明の詳細な説明】
【０００１】
【発明の属する技術分野】
本発明は、冷凍・冷蔵庫の庫内温度制御方法に関する。
【０００２】
【従来の技術】
一般に、冷凍・冷蔵庫において、温度コントロールボリウムを操作して庫内を適正な冷温度に設定する場合があるが、冷凍・冷蔵庫の設置された環境下特に外気温（室温）が低くなると過冷却の現象が生じる。庫内が過冷却になると野菜類が凍って保存状態が悪くなることがある。このため、従来の冷凍・冷蔵庫では、過冷却に備えて小型の補助用ヒータを用いて適度に加温し、野菜類の凍結を防止するようにしている。
【０００３】
【発明が解決しようとする課題】
しかしながら、上記従来のヒータの場合には、その分生産コストが高騰するばかりかエネルギー消費の観点から好ましいものとはいえない。
そこで、本発明は、過冷却時の補助用ヒータを用いることなく、外気温の低下に伴って庫内の温度設定を変更することで、野菜類の凍結を防止すると共にエネルギー消費の削減を図った冷凍・冷蔵庫の庫内温度制御方法を提供することを目的とする。
【０００４】
【課題を解決するための手段】
このような目的を達成するための手段として、本発明は、請求項１に記載したように冷凍・冷蔵庫に設けられた温度コントロールボリウムにより庫内温度を制御する方法であって、前記温度コントロールボリウムは強ノッチ、中ノッチ、弱ノッチを備え、前記強ノッチ又は中ノッチを選択した時は、外気温が第１の所定温度以上では庫内温度を第１の所定値に設定し、外気温が第１の所定温度と当該温度より低い第２の所定温度との範囲内では庫内温度を第１の所定値より高い第２の所定値にまで徐々に上げた値に設定し、外気温が第２の所定温度以下では庫内温度を第２の所定値に設定し、前記弱ノッチを選択した時は、庫内温度が所定温度となるように初期設定し、外気温が低下しても初期設定温度を一定に保持するように設定することを特徴とする冷凍・冷蔵庫の庫内温度制御方法を要旨とする。
【０００５】
本発明では、外気温が低くなるに従って、冷凍室と冷蔵室の温度設定を上げる（弱ノッチの場合を除く）ことにより庫内の過冷却を防ぐことができる。
【０００６】
【発明の実施の形態】
次に、本発明に係る冷凍・冷蔵庫の庫内温度制御方法の実施形態について説明する。図１は温度コントロールボリウム（図略）により冷凍室の庫内温度を制御する様子を示すもので、例えば外気温が１６℃以上の場合、強ノッチ（Ｃ）を選択した時は庫内温度が−２２℃になるように初期設定をする。
【０００７】
この場合、外気温が６℃まで低下する範囲内では、設定温度を−２０℃まで徐々に上げ、外気温が６℃以下では、−２０℃を保持するように設定する。
【０００８】
温度コントロールボリウムの中ノッチ（Ｎ）を選択した時は、庫内温度が−１８℃になるように初期設定をする。外気温が６℃まで低下する範囲内では、設定温度を−１７℃まで徐々に上げ、更に外気温が６℃以下では、−１７℃を保持するように設定する。
【０００９】
温度コントロールボリウムの弱ノッチ（Ｗ）を選択した時は、庫内温度が−１４℃になるように初期設定をする。外気温が低下しても−１４℃を一定に保持するように設定する。
【００１０】
このようにして、冷凍室の庫内温度の制御は、強ノッチ（Ｃ）、中ノッチ（Ｎ）共に外気温の低下に従って設定温度を上げる。弱ノッチ（Ｗ）のみは設定温度を一定にする。これにより、外気温の低下による庫内の過冷却を防ぐことができ、従来の補助用ヒータを用いなくても野菜類の凍結を防止することができる。
【００１１】
又、初期設定では、強ノッチ（Ｃ）と中ノッチ（Ｎ）との温度差は−４℃、中ノッチ（Ｎ）と弱ノッチ（Ｗ）との温度差が＋４℃で、温度コントロールボリウムの調節幅が大きいが、外気温の低下に伴ってその幅は徐々に小さくなり、外気温が６℃以下では、強ノッチ（Ｃ）と中ノッチ（Ｎ）との温度差は−３℃、中ノッチ（Ｎ）と弱ノッチ（Ｗ）との温度差が＋３℃で、温度コントロールの調節幅は低減している。これにより、冷凍室での負荷は軽減され、冷却に要するエネルギーを節約できる。
【００１２】
図２は冷蔵室に関する庫内の温度制御の様子を示すもので、例えば外気温が１６℃以上の場合、強ノッチ（Ｃ）を選択した時は庫内温度が０℃になるように初期設定をする。そして、外気温が６℃まで低下する範囲内では、設定温度を２℃まで徐々に上げ、外気温が６℃以下では、２℃を保持するように設定する。
【００１３】
温度コントロールボリウムの中ノッチ（Ｎ）を選択した時は、庫内温度が３℃になるように初期設定をする。外気温が６℃まで低下する範囲内では、設定温度を４℃まで徐々に上げ、更に外気温が６℃以下では、４℃を保持するように設定する。
【００１４】
温度コントロールボリウムの弱ノッチ（Ｗ）を選択した時は、庫内温度が６℃になるように初期設定をする。この場合は、外気温が低下してもそのまま初期設定の温度６℃を一定に保持するように設定する。
【００１５】
このようにして、冷蔵室の庫内温度の制御は、強ノッチ（Ｃ）、中ノッチ（Ｎ）共に外気温の低下に従って設定温度を上げる。弱ノッチ（Ｗ）のみは初期の設定温度を一定に保持する。これにより、外気温の低下による庫内の過冷却を防ぐことができ、補助用ヒータがなくても庫内を適温に保持することができる。
【００１６】
又、初期設定では、強ノッチ（Ｃ）と中ノッチ（Ｎ）との温度差は−３℃、中ノッチ（Ｎ）と弱ノッチ（Ｗ）との温度差が＋３℃で、温度コントロールボリウムの調節幅が大きいが、外気温の低下に伴ってその幅は徐々に小さくなり、外気温が６℃以下では、強ノッチ（Ｃ）と中ノッチ（Ｎ）との温度差は−２℃、中ノッチ（Ｎ）と弱ノッチ（Ｗ）との温度差が＋２℃で、温度コントロールボリウムの調節幅は低減している。これにより、冷蔵室での負荷は軽減され、冷却に要するエネルギーを節約できる。
【００１７】
図示は省略したが、冷凍・冷蔵庫には外気温を検知する温度センサを設置し、この温度センサの検出信号を冷凍・冷蔵庫に装備されたマイコンに入力し、このマイコンの演算によって温度コントロールボリウムの制御装置に出力し、冷凍室及び冷蔵室の設定温度を自動的に変換し、適正に制御するように構成することが好ましい。
【００１８】
【発明の効果】
以上説明したように、本発明は、冷凍・冷蔵庫において、庫内の温度設定を弱ノッチの場合を除き外気温の低下に伴って上げるようにしたので、庫内の過冷却を防止して野菜類の凍結を防止とすると共に、従来の補助用ヒータが不要になり、冷却負荷を軽減させて省エネが図れる等の優れた効果を奏する。
【図面の簡単な説明】
【図１】本発明に係る冷凍・冷蔵庫の庫内温度制御方法を冷凍室に適用した実施形態を示すグラフ図
【図２】同じく冷蔵室に適用した実施形態を示すグラフ図
【符号の説明】
Ｃ…強ノッチ
Ｎ…中ノッチ
Ｗ…弱ノッチ
【図１】
0003906051.tif 000002
【図２】
0003906051.tif 000003